(57)【特許請求の範囲】
【請求項１】
本箱本体内に幅・高さ・奥行とも同型の本箱２個を丁番で連結した整理棚を折りたたんで収蔵保管するとともに、保管中の複数の整理棚の中からそのうちの一つを手前に引き出し左右に移動の上、本箱本体の中央部分で整理棚を左右に開いて書籍展示用の本棚として活用することを特徴とする折りたたみ式本箱。
【請求項２】
整理棚の底部にキャスター等を取付けるほか、上部に取付けたボルト状のガイド部材で整理棚保管場所の天板に埋設したカーテンレール仕様の誘導路に接続し、保管場所及び書籍展示用の整理棚配置場所相互間の移行をスムーズにすることを特徴とする請求項１記載の折りたたみ式本箱。
【請求項３】
本箱本体の上段に設けた陳列板の収納場所から、必要に応じて本箱本体に連結した陳列板を引き出して新聞、週刊誌等の陳列に活用する陳列スペースを設けたことを特徴とする請求項１記載の折りたたみ式本箱。
【発明の詳細な説明】
【技術分野】
【０００１】
本発明は、一般的には室内での家具としての本箱であるが、同時に本箱本体内への収蔵書籍の増加及び陳列スペースを備えた本箱に関する。
【背景技術】
【０００２】
特許文献としては、幅、高さの等しい２個の本箱を、正面を合わせた箱形になるように、複数個の丁番でつなぎ、丁番の反対側に複数個の閉じ金具と引き手を設け、また、本箱の下面には複数個のキャスターを設け、上面の一端には折畳み開度を固定する固定金具を設けたことを特徴とする移動式折畳み本箱がある。
【０００３】
以上からも、特許文献は書籍の整理収納に重点を置いたコンパクトな移動可能な収納庫として利便性は優れいるが、押入れ等に収納することを想定していることから室内家具としての調和に欠け、しかも書籍の収蔵量は対面する本棚部分に限られ、それほどの増加は期待できない。
また、開いて展示用の本棚として利用する際には、本棚の低層部は視線から離れ、書籍の選択及び出し入れが不便である。
【０００４】
なお、本願発明に関連する公知技術として特許文献１を挙げることができる。
【０００５】
【特許文献１】登録実用新案第３０４１０５２
【発明の開示】
【発明が解決しようとする課題】
【０００６】
従来の本箱は書籍の本棚への整理収蔵のみであるが、本発明は閲覧等が困難な低位置での本棚を回避するため、下段に収蔵専用の引き出しを設け、本箱本体の中段に閲覧部分を配置し、閲覧、書籍の出し入れを容易にするほか、本箱本体内に収蔵場所を設けることで書籍の収蔵量を大幅に増加させるとともに、かつ、室内家具としての調度を維持するとともに、室内の他の家具との調和を図る。
【０００７】
本棚へ展示した書籍を見易くするため、本箱本体の中段に折りたたんだ整理棚を開いて展示用の本棚として配置し、かつ、整理棚の下部を手前に引く方法で、本棚面を上向けに僅かに傾斜を設け視線に対面させる。
【０００８】
上記の外、本箱としての家具単体に新聞、週刊誌等の陳列スペースを確保することで、新たな付加価値を創造する。
【課題を解決するための手段】
【０００９】
書籍の収蔵量を増加するため、本箱本体に配置した開いた整理棚の裏側へ収蔵スペースを確保するが、収蔵に際しては整理棚を折りたたみそのまま押込む形で収蔵するにことにより奥行きを半減させ、本箱本体が前面に突出し、部屋の空間が狭隘になることを防止する。
【００１０】
収蔵中の整理棚の移動に際しては、一セットの整理棚の重量（書籍収蔵後）が数１０ｋｇになるため、整理棚底面の裏側にキャスターを付け移動を容易にするが、更に、整理棚底面の裏面及び本箱本体の収蔵場所に設けた台座に磁石の同極を対面させる方法で磁石を貼付し、磁力の反作用を利用することで移動時の負荷を軽減する。
【００１１】
整理棚上部に取付けたボルト状のガイド部材を整理棚保管部分の天板に埋設したカーテンレール仕様の誘導路に接続し、整理棚の収蔵場所及び展示棚としての整理棚配置場所相互間の移行を誘導するほか、移動範囲を固定して整理棚が本箱本体から転落することを防止する。
【００１２】
本箱本体内側上部に陳列板の収納可能なスペースを設け、必要に応じて陳列板を引き出して新聞・週刊誌等の陳列棚として活用する。
なお、本箱本体の奥行きの関係から陳列板としての十分な広さが確保できないため、上下2枚の板をスライドさせる方法により解決する。
【発明の効果】
【００１３】
以上説明したように本発明によると、室内家具としての調度、形状を維持するとともに、本箱本体内に収蔵する書籍の収蔵量を大幅に増加し、かつ、本箱としての本来の用途以外に陳列棚として活用できるなど新たな付加価値生がじる。
【発明を実施するための最良の形態】
【００１４】
以下、本発明の実施の形態を図面に基づき詳細に説明する。
【００１５】
本発明の第１の実施の形態に係り、本箱本体に二つ折りに閉じた整理棚を本箱本体の奥へ挿入する形で収納した際の正面図は図１のとおりである。また、収蔵中の整理棚の一セットを引き出して左右に開き整理棚として前面に配置した際は図２のとおりで、その裏側には他の折りたたんだ整理棚が保管される。（図３及び図４の本箱本体斜視図参照）
なお、図３の本箱本体の側面図には収蔵部分のほか、前面に開いた整理棚を配置した際の側面想定部分を破線で表示した。
【００１６】
本発明の第２の実施の形態に係る本棚２個を丁番（７）で連結したものが整理棚の１セットで、左右に開いた状態の整理棚（図５）として活用する。
【００１７】
整理棚の左右の側面には、整理棚を折りたたんで移動する際の引き手として活用するため、半月部分の切り抜き（３）（図１及び図６参照）を設ける。
【００１８】
整理棚天板（８）にボルト状のガイド部材（１０）を取付け、図７（部分的構造図）のとおり接続し、整理棚が本箱本体から転落することを防止する。
【００１９】
整理棚底板（９）の裏面に図８（部分的構造図）のとおりキャスター（４）及び磁石（１１）を取付けるとともに、整理棚に貼付した磁石に面する収蔵場所の台座（５）へ同極を対面させる方法で磁石を設置し、磁力の反作用を利用して移動に際しての負荷の軽減を図り、収蔵及び展示場所相互間の整理棚の移動を容易にする。
【００２０】
本箱本体に接続した整理棚の誘導又は移動に際して移動範囲を固定するため、本箱本体の整理棚収蔵場所の天板（２）に誘導路（カーテンレール仕様）（１２）を図９の誘導路回路図のとおり埋設し、整理棚の接続に際しては誘導路の後面から挿入する方法で接続する。
【００２１】
本発明の第３の実施の形態である本箱本体の上部へ陳列板の収納スペースを確保（図１〜４参照）するが、陳列板（１）は収納時の奥行きの関係から陳列に十分なスペースを確保することが困難なため、図１０の平面図のとおり上下２枚の板を前後にスライドさせることにより必要な広さを確保する。
【００２２】
陳列板の本箱本体への接続は、本箱本体側面板に設けた図１１の陳列板誘導路の誘導溝（１５）に図１２（部分的構造図）のとおり、本箱本体の裏側から挿入する方法で接続し、陳列板の収納及び引き出しをスムーズにする。
【００２３】
陳列板２枚のスライド部分の接続は上板裏面に埋設した二本の誘導溝（１３）に下板に設けた接続部材（１６）を沿わせる方法により接続する。又陳列板の縦断面図についても図１３右側に表示した。（図１０及び図１３参照）
【実施例】
【００２４】
本箱本体の側面板の前面び背面の高さに微差（前面を高く）設け、接地面の前面角度（Ａ）をやや鋭角にし、背面に向け僅かに傾斜を設けることにより、地震等による前面への転倒を防止する。（図３参照）
【００２５】
本箱本体の最上部にＬ字型の蓋を丁番で取付け、陳列板収蔵場所を被う措置を施し家具としての美観の維持を図る。
【００２６】
整理棚の前面下部へ袴状の板を取付けキャスター部分を被覆することにより、家具としての美観の維持を図る。
【産業上の利用可能性】
【００２７】
本発明は、一般的な家具の本箱としては奥行きが若干大きいものの、本箱本体内へ折りたたんだ整理棚を収納し、かつ、前面に開いた整理棚を配置することを考慮すると大型家具としての許容範囲内であり、収蔵量が倍加し展示棚へ整理棚ごと移動が可能な本箱として利用できる。
また、底面積が広いこと、整理棚の本箱本体への接続及び実施例等からも地震等に対する効果も期待できる。
【００２８】
本箱本体上部に収納する陳列板を引き出し陳列棚として、新聞・週刊誌等の雑誌の陳列以外にパンフレット、チラシ等の展示に際しては、陳列棚裏側の整理棚は多数の在庫の貯蔵庫として活用が可能である。
【図面の簡単な説明】
【００２９】
【図１】本発明の第１の実施の形態に係る本箱本体に折りたたんだ整理棚を収納した際の本箱本体の正面図である。
【図２】整理棚を左右に開いて本棚として配置した際の本箱本体の正面図である。
【図３】本箱本体の側面図で書籍収蔵部分及び整理棚を開いて全面に配置した際の整理棚側面の想定部分を破線で表示している。
【図４】整理棚を左右に開いて本棚として配置した際の本箱本体の斜視図である。
【図５】本発明の第２の実施の形態に係る整理棚を左右に開いた際の正面図である。
【図６】整理棚上部及び底部裏面の部分的斜視図である。
【図７】整理棚の本箱本体への接続方法を表した部分的構造図である。
【図８】整理棚底部のキャスター取付け及び磁石の設置に係る部分的構造図である。
【図９】整理棚を接続する整理棚収蔵場所の天板に敷設する誘導路（カーテンレール仕様）を表した回路図である。
【図１０】本発明の第３の実施の形態に係る本箱本体に収納する陳列板の平面図である。（陳列品受けの内、破線部分は脱着可能部品で○は脱着穴である。）
【図１１】本箱本体の側板内部に設けた陳列板収納時の誘導溝を表した表示図である。
【図１２】陳列板の本箱本体への接続方法を表した部分的構造図である。
【図１３】陳列板のスライドに関する接続部分の部分的構造図及び陳列板の部分的な縦断面図である。
【符号の説明】
【００３０】
１    陳列板
２    整理棚収蔵場所の天板
３    引手としての切り抜き
４    キャスター
５    台座
６    棚板
７    丁番
８    整理棚の天板
９    整理棚の底板
１０  ボルト状のガイド部材
１１  磁石
１２  カーテンレール仕様の埋設誘導路
１３  スライド用誘導溝（埋設）
１４  陳列品受け
１５  陳列板誘導溝
１６  スライド板接続部材
Ａ    角度（鋭角）
【図１】
0004702684.tif 000002
【図２】
0004702684.tif 000003
【図３】
0004702684.tif 000004
【図４】
0004702684.tif 000005
【図５】
0004702684.tif 000006
【図６】
0004702684.tif 000007
【図７】
0004702684.tif 000008
【図８】
0004702684.tif 000009
【図９】
0004702684.tif 000010
【図１０】
0004702684.tif 000011
【図１１】
0004702684.tif 000012
【図１２】
0004702684.tif 000013
【図１３】
0004702684.tif 000014